(57)【要約】【課題】エアバッグモジュールの展開方向を案内する案内部材をエアバッグモジュール側に取付けたエアバッグモジュール装備シートであって、部品点数の削減を通じて組付け工数を削減可能なエアバッグモジュール装備シートを提供する。【解決手段】エアバッグ６ｂを格納するエアバッグモジュール６を装備したシートＳは、シートＳの骨格を形成するシートフレームＦと、シートフレームＦに取り付けられるエアバッグモジュール６と、シートＳのカバー部材４に取付けられ、エアバッグモジュール６の展開方向を案内する案内部材３１，３２と、を備える。シートフレームＦは、案内部材３１，３２を保持する保持部１５，１４を、シートフレームＦに一体形成して備える。【選択図】図３
2018012495.tif 000002
【特許請求の範囲】
【請求項１】
エアバッグを格納するエアバッグモジュールを装備したシートであって、
該シートの骨格を形成するシートフレームと、
該シートフレームに取り付けられる前記エアバッグモジュールと、
前記シートのカバー部材に取付けられ、前記エアバッグモジュールの展開方向を案内する案内部材と、を備え、
前記シートフレームは、前記案内部材を保持する保持部を、前記シートフレームに一体形成して備えることを特徴とするエアバッグモジュール装備シート。
【請求項２】
前記保持部は、該保持部に保持される前記案内部材の移動を規制する規制部を備えていることを特徴とする請求項１記載のエアバッグモジュール装備シート。
【請求項３】
前記保持部は、前記シートフレームの端部が曲がったフランジ部に設けられていることを特徴とする請求項１又は２記載のエアバッグモジュール装備シート。
【請求項４】
前記シートフレームは、板部と、該板部の端部が曲がった前記フランジ部とを備え、
前記シートフレームの前記フランジ部の端部には、該フランジ部の端部から折れ曲がって前記板部に対向する面を形成する板部対向部と、該板部対向部から更に前記板部に向かって折れ曲がった第一の返し部と、が設けられ、
前記規制部は、前記第一の返し部からなり、
前記保持部は、前記フランジ部と、前記板部対向部と、前記第一の返し部とに囲まれた領域からなることを特徴とする請求項３記載のエアバッグモジュール装備シート。
【請求項５】
前記シートフレームは、板部と、該板部の端部が曲がった前記フランジ部とを備え、
前記シートフレームの前記フランジ部の端部には、該フランジ部の端部から折れ曲がって前記板部に対向する面を形成する板部対向部と、該板部対向部から更に前記板部に向かって折れ曲がった第一の返し部と、該第一の返し部から更に前記板部対向部に対向し、該板部対向部と前記板部との間に設けられる第二の返し部と、が設けられ、
前記規制部は、前記第二の返し部からなり、
前記保持部は、前記板部対向部と、前記第一の返し部と、前記第二の返し部と、に囲まれた領域からなることを特徴とする請求項３記載のエアバッグモジュール装備シート。
【請求項６】
前記フランジ部は、前記シートフレームの水平方向の端部に沿って、上下方向に延びるように設けられ、
前記保持部は、前記フランジ部の上下方向の一部に設けられ、
前記保持部の上方の端部は、上方に向かって開口し、
前記保持部の前記上方の端部よりも上方で、前記上方の端部に隣接する位置には、前記規制部が形成されていないことを特徴とする請求項３乃至５いずれか記載のエアバッグモジュール装備シート。
【請求項７】
前記保持部を構成する壁部には、繊維強化材料を含む材料が用いられ、
前記繊維強化材料の繊維方向が、前記エアバッグモジュールの展開時に前記保持部が前記案内部材により牽引される方向に沿っていることを特徴とする請求項１乃至６いずれか記載のエアバッグモジュール装備シート。
【請求項８】
前記板部と前記フランジ部とが連続する部分には、隅肉部が形成され、前記保持部の前記隅肉部は、前記保持部以外の箇所の前記隅肉部よりも厚肉の厚肉部として形成されていることを特徴とする請求項５乃至７いずれか記載のエアバッグモジュール装備シート。
【請求項９】
前記厚肉部は、前記保持部の上下方向に亘って形成され、前記板部及び前記フランジ部に対して傾斜していることを特徴とする請求項８記載のエアバッグモジュール装備シート。
【請求項１０】
前記案内部材の端部には、該端部の形状を保持する端末形状保持部材が固定され、前記規制部は、前記端末形状保持部材を被覆するように延びていることを特徴とする請求項２乃至９いずれか記載のエアバッグモジュール装備シート。
【請求項１１】
前記保持部の下方の端部には、該端部を塞ぐ壁が形成されていることを特徴とする請求項６乃至１０いずれか記載のエアバッグモジュール装備シート。
【発明の詳細な説明】
【技術分野】
【０００１】
本発明は、エアバッグモジュール装備シートに係り、エアバッグの展開方向を案内する案内部材の端部をサイドフレームに取付けたエアバッグモジュール装備シートに関する。
【背景技術】
【０００２】
従来、エアバッグモジュール装備シートとして、シートバックフレームのサイドフレームにエアバッグモジュールを取り付け、トリムカバーの各端末と二枚の力布の片端末を共縫いしてトリムカバーの破断部を形成し、破断部からトリムカバーの内側に引き込んだ二枚の力布でエアバッグモジュールを包み込んで、このエアバッグモジュールを含むシートバック全体をトリムカバーで被包するものが提案されている（例えば特許文献１）。
【０００３】
特許文献１では、エアバッグモジュールを内部に収容するモジュールカバーに、上下方向に伸びる棒状の掛け止めピンが設けられ、トリムカバーの破断部から連続する力布の破断部逆側端部には引っ掛けフックが連結されている。力布の破断部逆側端部は、引っ掛けフックをモジュールカバーの掛け止めピンに掛け止めることにより、モジュールカバーに連結固定されている。
特許文献１の発明によれば、力布をバックパッドの開口縁から空洞部の内側に夫々引き込み、空洞の内側でトリムコードの引掛けフックをモジュールカバーの掛止めピンに掛け止めるだけでよいため、力布をコンパクトにかつ簡単に組み付けられる。
【先行技術文献】
【特許文献】
【０００４】
【特許文献１】特許第４５６０６５９号公報
【発明の概要】
【発明が解決しようとする課題】
【０００５】
しかし、特許文献１の引っ掛けフックのような取付部材を介して、エアバッグモジュールの展開方向を案内する案内部材を、シートフレーム等の被取付部に取付ける構造では、部品点数が多く、組付け工数の削減が望まれていた。
【０００６】
本発明は、上記の課題に鑑みてなされたものであり、本発明の目的は、エアバッグモジュールの展開方向を案内する案内部材をエアバッグモジュール側に取付けたエアバッグモジュール装備シートであって、部品点数の削減を通じて組付け工数を削減可能なエアバッグモジュール装備シートを提供することにある。
本発明の他の目的は、エアバッグモジュールの展開方向を案内する案内部材をエアバッグモジュール側に取付けたエアバッグモジュール装備シートであって、エアバッグの展開力によって、エアバッグモジュール側と案内部材との連結部が変形することが抑制されたエアバッグモジュール装備シートを提供することにある。
本発明の更に他の目的は、エアバッグモジュールの展開方向を案内する案内部材をエアバッグモジュール側に取付けたエアバッグモジュール装備シートであって、エアバッグモジュール側と案内部材との間の取付剛性の高いエアバッグモジュール装備シートを提供することにある。
【課題を解決するための手段】
【０００７】
前記課題は、請求項１のエアバッグモジュール装備シートによれば、エアバッグを格納するエアバッグモジュールを装備したシートであって、該シートの骨格を形成するシートフレームと、該シートフレームに取り付けられる前記エアバッグモジュールと、前記シートのカバー部材に取付けられ、前記エアバッグモジュールの展開方向を案内する案内部材と、を備え、前記シートフレームは、前記案内部材を保持する保持部を、前記シートフレームに一体形成して備えること、により解決される。
【０００８】
このように構成すると、別体の取付部材を用いないため、部品点数の削減が可能となり、組付け工数の削減が可能となる。
【０００９】
このとき、請求項２のように、前記保持部は、該保持部に保持される前記案内部材の移動を規制する規制部を備えていると好適である。
このように構成しているため、案内部材が保持部から外れることを抑制でき、案内部材によるエアバッグ展開時のエアバッグ展開方向の案内を、より安定させることができる。
【００１０】
このとき、請求項３のように、前記保持部は、前記シートフレームの端部が曲がったフランジ部に設けられていると好適である。
このように、保持部を剛性の高いフランジ部に設けるため、案内部材の取付剛性が向上する。
【００１１】
このとき、請求項４のように、前記シートフレームは、板部と、該板部の端部が曲がった前記フランジ部とを備え、前記シートフレームの前記フランジ部の端部には、該フランジ部の端部から折れ曲がって前記板部に対向する面を形成する板部対向部と、該板部対向部から更に前記板部に向かって折れ曲がった第一の返し部と、が設けられ、前記規制部は、前記第一の返し部からなり、前記保持部は、前記フランジ部と、前記板部対向部と、前記第一の返し部とに囲まれた領域からなると好適である。
このように構成しているため、単純な構成で、案内部材をシートフレーム側に直接取付けるための取付部を実現することができる。
【００１２】
このとき、請求項５のように、前記シートフレームは、板部と、該板部の端部が曲がった前記フランジ部とを備え、前記シートフレームの前記フランジ部の端部には、該フランジ部の端部から折れ曲がって前記板部に対向する面を形成する板部対向部と、該板部対向部から更に前記板部に向かって折れ曲がった第一の返し部と、該第一の返し部から更に前記板部対向部に対向し、該板部対向部と前記板部との間に設けられる第二の返し部と、が設けられ、前記規制部は、前記第二の返し部からなり、前記保持部は、前記板部対向部と、前記第一の返し部と、前記第二の返し部と、に囲まれた領域からなると好適である。
このように構成しているため、単純な構成で、案内部材をシートフレーム側に直接取付けるための取付部を実現することができる。
【００１３】
このとき、請求項６のように、前記フランジ部は、前記シートフレームの水平方向の端部に沿って、上下方向に延びるように設けられ、前記保持部は、前記フランジ部の上下方向の一部に設けられ、前記保持部の上方の端部は、上方に向かって開口し、前記保持部の前記上方の端部よりも上方で、前記上方の端部に隣接する位置には、前記規制部が形成されていないと好適である。
このように構成しているため、案内部材を、保持部の上方からスライドすることにより保持部に取付けることができる。従って、エアバッグモジュール展開時に案内部材に掛かる力の方向と、案内部材を取付ける方向とが、角度をもつため、エアバッグモジュール展開時に案内部材に力が掛かっても、案内部材の取付口から案内部材が外れることを抑制でき、支持剛性を向上できる。
【００１４】
このとき、請求項７のように、前記保持部を構成する壁部には、繊維強化材料を含む材料が用いられ、前記繊維強化材料の繊維方向が、前記エアバッグモジュールの展開時に前記保持部が前記案内部材により牽引される方向に沿っていると好適である。
このように構成しているため、エアバッグモジュール展開時に案内部材を牽引する力がかかったときに、保持部が変形することを抑制できる。
【００１５】
このとき、請求項８のように、前記側板と前記フランジ部とが連続する部分には、隅肉部が形成され、前記保持部の前記隅肉部は、前記保持部以外の箇所の前記隅肉部よりも厚肉の厚肉部として形成されていると好適である。
このように構成しているため、エアバッグモジュール展開時に案内部材を牽引する力がかかったときに、保持部が変形することを抑制できる。
【００１６】
このとき、請求項９のように、前記厚肉部は、前記保持部の上下方向に亘って形成され、前記板部及び前記フランジ部に対して傾斜していると好適である。
このように構成しているため、厚肉部による支持剛性をより高めることができる。
【００１７】
このとき、請求項１０のように、前記案内部材の端部には、該端部の形状を保持する端末形状保持部材が固定され、前記規制部は、前記端末形状保持部材を被覆するように延びていると好適である。
このように、端末形状保持部材を備えることと、組付け時に規制部が端末形状保持部材を被覆することにより、案内部材の支持剛性を向上できる。
【００１８】
このとき、請求項１１のように、前記保持部の下方の端部には、該端部を塞ぐ壁が形成されていると好適である。
このように構成しているため、案内部材が、保持部の下方から脱落することを抑制できる。
【発明の効果】
【００１９】
請求項１の発明によれば、別体の取付部材を用いないため、部品点数の削減が可能となり、組付け工数の削減が可能となる。
【００２０】
請求項２の発明によれば、案内部材が保持部から外れることを抑制でき、案内部材によるエアバッグ展開時のエアバッグ展開方向の案内を、より安定させることができる。
【００２１】
請求項３の発明によれば、保持部を剛性の高いフランジ部に設けるため、案内部材の取付剛性が向上する。
【００２２】
請求項４の発明によれば、単純な構成で、案内部材をシートフレーム側に直接取付けるための取付部を実現することができる。
【００２３】
請求項５の発明によれば、単純な構成で、案内部材をシートフレーム側に直接取付けるための取付部を実現することができる。
【００２４】
請求項６の発明によれば、案内部材の端部を、案内部材を、保持部の上方からスライドすることにより保持部に取付けることができる。従って、エアバッグモジュール展開時に案内部材に掛かる力の方向と、案内部材を取付ける方向とが、角度をもつため、エアバッグモジュール展開時に案内部材に力が掛かっても、案内部材の取付口から案内部材が外れることを抑制でき、支持剛性を向上できる。
【００２５】
請求項７の発明によれば、エアバッグモジュール展開時に案内部材を牽引する力がかかったときに、保持部が変形することを抑制できる。
【００２６】
請求項８の発明によれば、エアバッグモジュール展開時に案内部材を牽引する力がかかったときに、保持部が変形することを抑制できる。
【００２７】
請求項９の発明によれば、厚肉部による支持剛性をより高めることができる。
【００２８】
請求項１０の発明によれば、端末形状保持部材を備えることと、組付け時に規制部が端末形状保持部材を被覆することにより、案内部材の支持剛性を向上できる。
【００２９】
請求項１１の発明によれば、案内部材が、保持部の下方から脱落することを抑制できる。
【図面の簡単な説明】
【００３０】
【図１】本発明の一実施形態に係るエアバッグモジュール装備シートの外観図である。
【図２】本発明の一実施形態に係るエアバッグモジュール装備シートのシートフレームの斜視図である。
【図３】図１のＡ−Ａ断面図である。
【図４】本発明の一実施形態に係るサイドフレームを示す斜視説明図である。
【図５】本発明の一実施形態に係る前縁部側の保持部を示す断面説明図である。
【図６】本発明の一実施形態に係る前縁部側の保持部を示す斜視説明図である。
【図７】本発明の一実施形態に係る後縁部側の保持部を示す断面説明図である。
【図８】本発明の一実施形態に係るトリムカバーと力布を破断部で共縫いした状態を示す説明図である。
【図９】本発明の他の実施形態に係る前縁部側の保持部を示す断面説明図である。
【図１０】本発明の他の実施形態に係る後縁部側の保持部を示す断面説明図である。
【発明を実施するための形態】
【００３１】
本発明は、エアバッグモジュールの展開方向を案内する案内部材の端部側をサイドフレームに取付けるエアバッグモジュール装備シートに関する。
【００３２】
本発明の案内部材は、表皮よりも伸縮性に乏しいシート状部材であって、エアバッグモジュールの格納箇所の表皮等に設けられた破断部に一端が縫合されて、エアバッグ展開時に掛かる力を破断部に伝達して、エアバッグの展開を促進する力布や、エアバッグ展開時にエアバッグ膨張に伴う力によりクッションパッド等の他の部材が破損しないよう、エアバッグモジュールと他の部材との間に配置される力布等を含む。
また、本発明は、シートフレームの一例として、樹脂製のサイドフレームに好適に用いられるが、金属性等他の素材からなるサイドフレームにも適用可能である。
本明細書において、「一体形成して備える」とは、樹脂を一体の型に流し込んで部材を一体に成型する場合や、金属製の部材を折り曲げる等の加工により、一体に形成する場合を含む。
以下、本発明の一実施形態に係るエアバッグモジュール装備シートについて、図１〜図１０を参照しながら説明する。
【００３３】
図１は、本発明の一実施形態に係るエアバッグモジュール装備シートの外観図である。図２は、本発明の一実施形態に係るエアバッグモジュール装備シートのシートフレームの斜視図である。図３は、図１のＡ−Ａ断面図である。図４は、本発明の一実施形態に係るサイドフレームを示す斜視説明図である。図５は、本発明の一実施形態に係る前縁部側の保持部を示す断面説明図である。図６は、本発明の一実施形態に係る前縁部側の保持部を示す斜視説明図である。図７は、本発明の一実施形態に係る後縁部側の保持部を示す断面説明図である。図８は、本発明の一実施形態に係るトリムカバーと力布を破断部で共縫いした状態を示す説明図である。図９は、本発明の他の実施形態に係る前縁部側の保持部を示す断面説明図である。図１０は、本発明の他の実施形態に係る後縁部側の保持部を示す断面説明図である。
【００３４】
本実施の形態に係るエアバッグモジュール装備シートは、図１で示すように、シートバックＳ１、着座部Ｓ２、ヘッドレストＳ３より構成されている。
車両用シートＳの中には、図２に示すようなシートフレームＦが設けられている。シートフレームＦは、エアバッグが取り付けられるエアバッグ取付部材であって、シートバックＳ１のフレームであるシートバックフレーム１と、着座部Ｓ２のフレームである着座フレーム２とから構成されている。着座フレーム２とシートバックフレーム１は、リクライニング機構３を介して連結されている。シートバックフレーム１および着座フレーム２の外側には、クッションおよびトリムカバーが設けられることで、シートバックＳ１および着座部Ｓ２が構成される。
【００３５】
シートバックＳ１は、図１乃至図３に示すように、シートバックフレーム１と、シートバックフレーム１上に載置されるクッションパッド５と、シートバックフレーム１及びクッションパッド５を覆うカバー部材としての表皮であるトリムカバー４と、トリムカバー４の破断部４０に一端が縫い付けられた第一の力布３１及び第二の力布３２を主要構成要素とする。
シートバックフレーム１は、図１，図２に示すように、左右に離間して配置され上下方向に延在するサイドフレーム１０と、このサイドフレーム１０の上端部を連結する上部フレーム２１と、下端部を連結する下部フレーム２２とにより枠状に構成されている。
上部フレーム２１には、ピラー支持部２３が設けられ、ピラー支持部２３には、不図示のヘッドレストフレームが設けられる。ヘッドレストフレームの外側にクッション部材を設けることでヘッドレストＳ３が構成される。
【００３６】
サイドフレーム１０は、樹脂成形体からなり、前端の辺が湾曲して前端の下側部分が前方に張り出した略Ｄ字状の略板体からなる。図３，図４に示すように、板部としてのほぼ平板状の側板１１と、この側板１１の前端部を内側にＵ字状に折り返してなる前縁部１２と、後端部をＬ字型に内側に屈曲させた後縁部１３とを有している。側板１１と後縁部１３とが連続する部分の内面には、図４に示すように、内面が湾曲した形状になるように隆起させた隅肉部１３ａが形成されている。前縁部１２と後縁部１３が、特許請求の範囲のフランジ部に該当する。
前縁部１２には、図２，図４，図５に示すように、略シート上下方向に延びる前縁部１２の延長方向の２か所に、第二の力布３２の端部を内部に保持する保持部１４が形成されている。
【００３７】
保持部１４は、側板１１の前端がＵ字状にシートＳ内側に向かって折り曲げられたＵ字状部１４ａと、Ｕ字状部１４ａのシートＳ内側の端部からシートＳ後方に向かって延出し、側板１１に対向する面からなる板部対向部としての側板対向部１４ｂと、側板対向部１４ｂのシートＳ後方の端部から略垂直に、シートＳ外側に向かって折り曲げられて、側板１１に対して垂直に近い角度を持った面からなる第一の返し部１４ｃと、第一の返し部１４ｃのシートＳ外側の端部から略垂直に、シートＳ前方に向かって折り曲げられて、側板対向部１４ｂに略平行な面からなる規制部としての第二の返し部１４ｄと、を備えている。第二の返し部１４ｄは、端部をＵ字状部１４ａに向け、側板対向部１４ｂと側板１１との間に延在している。
【００３８】
第二の返し部１４ｄの先端及びトリムプレート３７は、図５に示すように、角が面取り加工され、第二の力布３２の損傷を抑制可能に形成されている。
また、図５に示すように、トリムプレート３７は、第二の力布３２の端部側の部分により、トリムプレート３７の長尺方向に垂直な面の外周であって、保持部１４内に収容されている部分のほぼ全面が覆われている。このように構成しているため、保持部１４の内側の面とトリムプレート３７が直接接触することが抑制され、異音発生が抑制される。
側板対向部１４ｂと第二の返し部１４ｄは、トリムプレート３７の厚みよりも若干大きい距離をおいて相互に平行に延びており、側板対向部１４ｂと第二の返し部１４ｄの間に、第二の力布３２を縫着したトリムプレート３７を、側板対向部１４ｂと第二の返し部１４ｄに平行に保持可能に構成されている。
【００３９】
側板１１のシートＳ内側の面であって、第二の返し部１４ｄに対向する位置には、図５に示すように、シートＳ内側及び第二の返し部１４ｄ側に向かって盛り上がり、厚みが厚肉となった厚肉部１９が、第二の力布３２に対向して沿うように設けられている。このように構成することにより、保持部１４の支持剛性が向上する。また、厚肉部１９は、第二の力布３２に沿うように設けられるため、第二の力布３２とトリムプレート３７を組み付ける際のガイドとしても機能する。
前縁部１２は、乗員の背面を支持するシートＳ前側の位置にあるため、前縁部１２は、シートＳ内側方向へ突出しないことが望ましい。そこで、保持部１４は、トリムプレート３７の保持面となる側板対向部１４ｂと第二の返し部１４ｄを、シートＳの前後方向に沿うように配置し、サイドフレーム１０の前方の端部となる前縁部１２がシートＳ内側に突出することを抑制している。
【００４０】
保持部１４の上端１４ｕ及び下端１４ｌは、図４，図６に示すように、シートＳ水平方向に切断されたような形状の端面となっている。また、Ｕ字状部１４ａは、サイドフレーム１０の延長方向の全域に亘って形成されており、保持部１４の上端１４ｕ及び下端１４ｌにおいて、端部を備えていない。
保持部１４の上端１４ｕは、上方に向かって開放されているが、保持部１４の下端１４ｌは、樹脂材料からなる壁が蓋となって閉塞されている。
従って、保持部１４の上端１４ｕでは、側板対向部１４ｂ，第一の返し部１４ｃ，第二の返し部１４ｄのみが端部を有している。このように構成することにより、保持部１４は、前縁部１２の延長方向において、第一の返し部１４ｃが、前縁部１２上で突出することとなり、第二の力布３２の端部及びトリムプレート３７の取付位置となる保持部１４が確認し易くなるため、取付作業性が向上する。
また、前縁部１２の上端１４ｕより僅かに上方の位置及び下端１４ｌより僅かに下方の位置には、Ｕ字状部１４ａが、湾曲面の外側に向かって盛り上がるように形成され、厚みが厚くなった厚肉部１７が設けられている。このように構成することにより、保持部１４の剛性が向上する。
【００４１】
後縁部１３には、図４に示すように、略シート上下方向に延びる後縁部１３の延長方向中央の１か所に、第一の力布３１の端部を内部に保持する図７の保持部１５が形成されている。
【００４２】
保持部１５は、図７に示すように、側板１１の後端がＬ字状にシートＳ内側に向かって折り曲げられたＬ字状部１５ａと、Ｌ字状部１５ａのシートＳ内側の端部からシートＳ前方に向かって延出し、側板１１に対向する面からなる板部対向部としての側板対向部１５ｂと、側板対向部１５ｂのシートＳ前方の端部から略垂直に、シートＳ外側に向かって折り曲げられて、側板１１に対して略垂直の面からなる規制部及び第一の返し部としての返し部１５ｃと、を備えている。
Ｌ字状部１５ａは、成形時に、繊維をほぼ一方方向に揃えて固めた公知のシート状ＣＦＲＰ（カーボン繊維強化プラスチック）材を積層することにより形成されている。ＣＦＲＰ材の繊維方向は、エアバッグモジュール６展開時にＬ字状部１５ａに力が掛かる方向であり、図７に示す通り、保持部１５に収納されるトリムプレート３３の面に平行で、シートＳ幅方向である。
返し部１５ｃの先端及びトリムプレート３３は、図７に示すように、角が面取り加工され、第一の力布３１の損傷を抑制可能に形成されている。
また、図７に示すように、トリムプレート３３は、第一の力布３１の端部側の部分により、トリムプレート３３の長尺方向に垂直な面の外周がほぼ全周覆われている。このように構成しているため、保持部１５の内側の面とトリムプレート３３が直接接触することが抑制され、異音発生が抑制される。
【００４３】
Ｌ字状部１５ａと返し部１５ｃは、トリムプレート３３の厚みよりも若干大きい距離をおいて相互に平行に延びており、Ｌ字状部１５ａと返し部１５ｃの間に、第一の力布３１を縫着したトリムプレート３３を、Ｌ字状部１５ａと返し部１５ｃに平行に保持可能に構成されている。
後縁部１３周辺には、比較的スペースがあるため、保持部１５は、トリムプレート３３の保持面となるＬ字状部１５ａと返し部１５ｃを、シートＳの幅方向に沿うように配置している。
【００４４】
第一の力布３１の端末は、ボルト１８よりもシートＳ後方に配置されている。このように構成していることにより、第一の力布３１の端末及びトリムプレート３３の取付作業性の悪化が抑制される。また、ボルト１８と第一の力布３１の端末及びトリムプレート３３との位置関係の設定によっては、エアバッグモジュール６展開時に、第一の力布３１の端末及びトリムプレート３３が回転することを、ボルト１８により抑制することも可能である。
【００４５】
保持部１５の上端１５ｕ及び下端１５ｌは、図４，図７に示すように、シートＳ水平方向に切断されたような形状の端面となっている。また、Ｌ字状部１５ａは、サイドフレーム１０の延長方向の全域に亘って形成されており、保持部１５の上端１５ｕ及び下端１５ｌにおいて、端部を備えていない。
保持部１５の上端１５ｕは、上方に向かって開放されているが、保持部１５の下端１５ｌは、樹脂材料からなる壁が蓋となって閉塞されている。
従って、保持部１５の上端１５ｕでは、側板対向部１５ｂ，返し部１５ｃのみが端部を有している。このように構成することにより、保持部１５は、後縁部１３の延長方向において、側板対向部１５ｂが、後縁部１３上で突出することとなり、第一の力布３１の端部及びトリムプレート３３の取付位置となる保持部１５が確認し易くなるため、取付作業性が向上する。
【００４６】
また、隅肉部１３ａのうち、保持部１５に隣接した部分は、他の隅肉部１３ａの部分よりも厚肉に形成された厚肉部１３ｂとなっている。厚肉部１３ｂは、図３に示すように、シートＳ後方側のクッションパッド５がシートＳ内側がシートＳ後方に後退するように凹んだ凹部５ａに対向するように配置されている。このように構成することにより、厚肉部１３ｂ周辺構造が大型化することを抑制できる。
また、側板１１のシートＳ内側の面には、上方の保持部１４の隣接した位置から保持部１５に隣接した位置にかけてと、下方の保持部１４の隣接した位置から保持部１５に隣接した位置にかけての２箇所に、第一の力布３１，第二の力布３２の取付に支障のない程度で、直線状にビード１６を形成し、保持部１４，１５を補強する。なお、保持部１４，１５を補強する手段は、ビードに限定されず、他の剛性向上のための手段によってもよい。
【００４７】
サイドフレーム１０には、エアバッグモジュール６が固定されている。
本実施形態のエアバッグモジュール６は、モジュールケースを有しないケースレスエアバッグモジュールからなる。エアバッグモジュール６は、図３に示すように、インフレータ６ａと、折り畳まれたエアバッグ６ｂと、インフレータ６ａを保持するリテーナ６ｃと、エアバッグ６ｂを包むラップ材６ｄを備えている。
インフレータ６ａの外周部は、シートＳ内側に向かって立設されたボルト１８により、リテーナ６ｃ及びサイドフレーム１０に固定されている。なお、インフレータ６ａは、ボルト以外のインフレータ取付部材によりサイドフレーム１０に固定されていてもよい。
【００４８】
インフレータ６ａは、エアバッグ６ｂ内に配設され、エアバッグ６ｂは、インフレータ６ａから噴出されるガスによってシートＳ前方に展開するようになっている。
エアバッグ６ｂは、布袋等からなるラップ材６ｄによって折り畳み状態に保持されており、このラップ材６ｄは、エアバッグ６ｂが展開する場合に、容易に破けるようになっている。
なお、本実施形態では、エアバッグモジュール６を、ケースレスのものから構成しているが、これに限定されるものでなく、モジュールケースを備えたものとして構成してもよい。
クッションパッド５には、図３に示すように、エアバッグモジュール６を格納するための空間７が形成されている。
【００４９】
トリムカバー４は、公知の材料からなり、図８のように、座面中央から左右の土手面を被包する前面マチ部４１と周側面から背面に至る側面マチ部４２とを縫い合わせ、更に、不図示の背面マチ部を不図示のスライドファスナーで側面マチ部４２に対して開閉自在に連結することにより袋状に縫製されている。
トリムカバー４には、前面マチ部４１と側面マチ部４２との土手部において膨出した頂点に、破断部４０が形成されている。破断部４０は、前面マチ部４１と側面マチ部４２の端部を、通常の使い勝手に耐えられる強度を保ちつつ、エアバッグの膨張による引張力で裂断可能なように、相互に縫製されている。
【００５０】
第一の力布３１，第二の力布３２は、伸縮性の小さい布状素材からなり、エアバッグの膨張による応力を破断部４０に伝達する役割を果たす。
第一の力布３１は、図８に示すように、引張力が掛かる方向に長くなった略矩形の布からなり、一端は、破断部４０で、トリムカバー４の前面マチ部４１と側面マチ部４２の端部及び第二の力布３２の一端と共縫いされている。第一の力布３１の他端にはトリムプレート３３が縫い付けられている。
【００５１】
第二の力布３２は、図８に示すように、破断部４０側の辺３４と破断部４０逆側の辺３５とが略平行で、破断部４０側の辺３４が長く形成された略台形の布からなる。破断部４０逆側の辺３５は、矩形状に突出したトリムプレート３７取付用の取付部３６が、二つ設けられている。
第二の力布３２の破断部４０側の辺３４は、破断部４０で、トリムカバー４の前面マチ部４１と側面マチ部４２の端部及び第一の力布３１の一端と共縫いされている。第二の力布３２逆側の辺３５の取付部３６には、それぞれ、図８に示すように、トリムプレート３７が縫い付けられている。
【００５２】
トリムプレート３３，３７は、硬質樹脂製からなる矩形の板体である。トリムプレート３３，３７は、第一の力布３１，第二の力布３２の端末の形状を保持するために用いられる力布の端末形状保持部材である。第一の力布３１，第二の力布３２の端末にトリムプレート３３，３７が固定されていることにより、第一の力布３１，第二の力布３２の端末を保持部１４，１５に差込む際の作業性が向上する。本実施形態では、第一の力布３１，第二の力布３２の端末にトリムプレート３３，３７を固定しているが、これに限定されるものではなく、トリムプレート３３，３７を用いずに、第一の力布３１，第二の力布３２の端末を複数回折り返して縫製したものや、複数重に巻回して縫製したもの、複数重に巻回して縫製したものを一方向に押し潰したものを、保持部１４，１５に挿入してもよい。
【００５３】
第一の力布３１，第二の力布３２は、図３に示すように、破断部４０より空間７へ引き込まれている。第一の力布３１の他端のトリムプレート３３は、サイドフレーム１０の後縁部１３の保持部１５に保持され、第二の力布３２の他端のトリムプレート３７は、サイドフレーム１０の前縁部１２の保持部１４に保持されている。
【００５４】
図３，図５に示すように、第二の力布３２の端部は、トリムプレート３７と一体で、保持部１４に収容されることにより、サイドフレーム１０に取付けられる。このとき、保持部１４の第二の返し部１４ｄは、トリムプレート３７の長尺方向に垂直な方向の幅よりも長く形成され、第二の返し部１４ｄが、トリムプレート３７を覆うようになっている。
また、図３，図７に示すように、第一の力布３１の端部は、トリムプレート３３と一体で、保持部１５に収容されることにより、サイドフレーム１０に取付けられる。このとき、保持部１５の返し部１５ｃは、トリムプレート３３の長尺方向に垂直な方向の幅よりも長く形成され、返し部１５ｃが、トリムプレート３３を覆うようになっている。
【００５５】
第一の力布３１，第二の力布３２のサイドフレーム１０への取付は、次の手順で行われる。
作業者はまず、第二の力布３２の取付部３６を、トリムプレート３７と取付部３６の境界で一回折り曲げ、トリムプレート３７と取付部３６とを、トリムプレート３７の幅分重ねる。
【００５６】
次いで、トリムプレート３７と取付部３６とを保持しながら、前縁部１２の湾曲面の内側に当接させ、保持部１４の上端１４ｕの少し上方の位置に配置する。次いで、トリムプレート３７を、前縁部１２の湾曲面の内側に沿って下方にスライドさせ、保持部１４に挿入する。トリムプレート３７の進行方向の端部が、保持部１４の下端１４ｌの壁部に当接してそれ以上下方に進行不能となるまで押し込み、第二の力布３２が取付けられたトリムプレート３７とサイドフレーム１０との連結を完了する。
すべての取付部３６について、同様の作業を行い、第二の力布３２のサイドフレーム１０への取付を完了する。
【００５７】
次いで、第一の力布３１の端部を、トリムプレート３３と端部の境界で一回折り曲げ、トリムプレート３３と端部とを、トリムプレート３３の幅分重ねる。
次いで、トリムプレート３３と端部とを保持しながら、後縁部１３の内側の面に当接させ、保持部１５の上端１５ｕの少し上方の位置に配置する。次いで、トリムプレート３３を、後縁部１３の内面に沿って下方にスライドさせ、保持部１５に挿入する。トリムプレート３３の進行方向の端部が、保持部１５の下端１５ｌの壁部に当接してそれ以上下方に進行不能となるまで押し込み、第一の力布３１が取付けられたトリムプレート３３とサイドフレーム１０との連結を完了する。
【００５８】
本実施形態では、サイドフレーム１０に一体に設けられた保持部１４，１５に第一の力布３１，第二の力布３２の端部を取付けて、フックやリスティングワイヤのような別体の取付部材を用いないため、部品点数の削減が可能となり、コスト削減、保証部品の削減、組付け工数の削減が可能となる。
また、サイドフレーム１０側に第一の力布３１，第二の力布３２の端部を取付けるために、フックやリスティングワイヤのような別体の取付部材を用いる必要がなく、第一の力布３１，第二の力布３２の端部の取付部の取付剛性を向上できる。その結果、第一の力布３１，第二の力布３２の端部によるエアバッグモジュール６展開時のエアバッグ展開方向の案内を、より安定させることができる。また、サイドフレーム１０に一体に設けられた保持部１４，１５に第一の力布３１，第二の力布３２の端部を取付けるため、別体の取付部材を用いた場合に対比して、第一の力布３１，第二の力布３２の端部が取付けられる被取付部の変形が抑制される。
【００５９】
前縁部１２には、図３〜図６に示す保持部１４を設けているが、保持部１４の代わりに、図９に示す保持部１４´を設けてもよい。
保持部１４´は、側板１１´の前端がシートＳ内側に向かって隆起した隆起部１４ａ´と、隆起部１４ａ´の根元１４ｂ´からシートＳ前方に分岐し、シートＳ内側に向かって隆起部１４ａ´に沿って隆起した規制部１４ｃ´と、規制部１４ｃ´のシートＳ内側の先端が、シートＳ後方に向かって突出した突起１４ｄ´と、を備えている。
【００６０】
隆起部１４ａ´から根元１４ｂ´をへて規制部１４ｃ´に至る部分は、トリムプレート３７´を収納する溝となっている。
規制部１４ｃ´は、サイドフレームの長尺方向の全長に亘って形成されているが、隆起部１４ａ´は、保持部１４´のみに設けられており、保持部１４´の上方及び下方に、隆起部１４ａ´が設けられていないため、トリムプレート３７´を、保持部１４´の上方の規制部１４ｃ´のシートＳ後方側の内側面に当接させた後、スライドすることにより、保持部１４´に容易に取付可能である。
【００６１】
第二の力布３２に取り付けられるトリムプレート３７´は、図９に示すように、硬質樹脂性の板体からなり、長尺方向に垂直な面で切断した断面は、細長い楕円の長尺方向の中央付近で切断した形状であって、端部には、トリムプレート３７´の厚み方向に凹んだ断面Ｌ字状の凹部３７ａ´を備え、このＬ字状の凹部３７ａ´に隣接した部分は、他の部分よりも薄く形成された薄肉部３７ｂ´となっている。
薄肉部３７ｂ´には、第二の力布３２の取付部３６が取り付けられ、凹部３７ａ´は、組付け時に、突起１４ｄ´に係合することにより、トリムプレート３７´の保持部１４´からの脱落が抑制可能になっている。
保持部１４´のその他の構成は、保持部１４と同様であるため、説明を省略する。
【００６２】
後縁部１３には、図３，図４，図７に示す保持部１５を設けているが、保持部１５の代わりに、図１０に示す保持部１５´を設けてもよい。
保持部１５´は、側板１１´の後端がＬ字状にシートＳ内側に向かって垂直に屈曲した第一の壁部１５ａ´と、第一の壁部１５ａ´の根元１５ｂ´からシートＳ後方に分岐し、シートＳ内側に向かって第一の壁部１５ａ´に沿って平行に起立した第二の壁部１５ｃ´と、第二の壁部１５ｃ´のシートＳ内側の先端が、シートＳ前方に向かって突出した突起１５ｄ´と、を備えている。
第一の壁部１５ａ´から根元１５ｂ´をへて第二の壁部１５ｃ´に至る部分は、トリムプレート３３´を収納する溝となっている。
【００６３】
第二の壁部１５ｃ´は、サイドフレーム１０´の長尺方向の全長に亘って形成されているが、第一の壁部１５ａ´は、保持部１５´のみに設けられており、保持部１５´の上方及び下方に、第一の壁部１５ａ´が設けられていないため、トリムプレート３３´を、保持部１５´の上方の第二の壁部１５ｃ´のシートＳ前方側の内側面に当接させた後、スライドすることにより、保持部１５´に容易に取付可能である。
第一の力布３１に取り付けられるトリムプレート３３´の構成は、トリムプレート３７´と同様であるため、説明を省略する。
トリムプレート３３´の薄肉部３３ｂ´には、第一の力布３２の端部が取り付けられ、凹部３３ａ´は、組付け時に、突起１５ｄ´に係合することにより、トリムプレート３３´の保持部１５´からの脱落が抑制可能になっている。
保持部１５´のその他の構成は、保持部１５と同様であるため、説明を省略する。
【符号の説明】
【００６４】
Ｓ  シート
Ｓ１  シートバック
Ｓ２  着座部
Ｓ３  ヘッドレスト
Ｆ  シートフレーム
１  シートバックフレーム
２  着座フレーム
３  リクライニング機構
４  トリムカバー
５  クッションパッド
５ａ  凹部
６  エアバッグモジュール
６ａ  インフレータ
６ｂ  エアバッグ
６ｃ  リテーナ
６ｄ  ラップ材
７  空間
１０  サイドフレーム
１１，１１´  側板
１２  前縁部
１３  後縁部
１３ａ  隅肉部
１３ｂ，１７，１９  厚肉部
１４，１４´，１５，１５´  保持部
１４ａ  Ｕ字状部
１４ａ´  隆起部
１４ｂ  側板対向部
１４ｂ´，１５ｂ´  根元
１４ｃ  第一の返し部
１４ｃ´  規制部
１４ｄ  第二の返し部
１４ｄ´，１５ｄ´  突起
１４ｌ，１５ｌ  下端
１４ｕ，１５ｕ  上端
１５ａ  Ｌ字状部
１５ａ´  第一の壁部
１５ｂ  側板対向部
１５ｃ  返し部
１５ｃ´  第二の壁部
１６  ビード
１８  ボルト
２１  上部フレーム
２２  下部フレーム
２３  ピラー支持部
３１  第一の力布
３２  第二の力布
３３，３３´，３７，３７´  トリムプレート
３３ａ´，３７ａ´  凹部
３３ｂ´，３７ｂ´  薄肉部
３４  破断部側の辺
３５  破断部逆側の辺
３６  取付部
４０  破断部
４１  前面マチ部
４２  側面マチ部
【図１】
2018012495.tif 000003
【図２】
2018012495.tif 000004
【図３】
2018012495.tif 000005
【図４】
2018012495.tif 000006
【図５】
2018012495.tif 000007
【図６】
2018012495.tif 000008
【図７】
2018012495.tif 000009
【図８】
2018012495.tif 000010
【図９】
2018012495.tif 000011
【図１０】
2018012495.tif 000012
【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
シート側部に設けられるサイドフレームと、
前記サイドフレームの側面に設けられ、前後方向に延在する複数の補強部と、を有することを特徴とする車両用シート。
【請求項２】
前記複数の補強部は、それぞれ異なる方向に延在することを特徴とする請求項１記載の車両用シート。
【請求項３】
前方と後方とにおいて、前記複数の補強部の間の距離が異なることを特徴とする請求項１又は２記載の車両用シート。
【請求項４】
前記サイドフレームの側面に設けられる、上下方向に延在する上下補強部をさらに有し、
前記上下補強部と、前記複数の補強部の少なくとも１つは連続していることを特徴とする請求項１に記載の車両用シート。
【請求項５】
前記上下補強部と、前記複数の補強部は連続していることを特徴とする請求項４に記載の車両用シート。
【請求項６】
前記複数の補強部は、前記上下補強部を介して連続していることを特徴とする請求項４に記載の車両用シート。
【請求項７】
前記補強部は、シート内側に突出していることを特徴とする請求項１に記載の車両用シート。
【請求項８】
前記上下補強部は、前記サイドフレームの前記側面の後端に設けられ、
前記補強部は、前記サイドフレームの前記側面の前記後端から前端まで延在していることを特徴とする請求項５に記載の車両用シート。
【請求項９】
前記サイドフレームは、エアバッグ部材を取り付けて保持する保持部をさらに有し、
前記保持部の上端は、前記補強部の上端よりも上方にあることを特徴とする請求項１に記載の車両用シート。
【請求項１０】
複数の前記保持部を有し、
前記補強部は、前記複数の前記保持部の間に設けられることを特徴とする請求項９に記載の車両用シート。
【手続補正３】
【補正対象書類名】明細書
【補正対象項目名】０００１
【補正方法】変更
【補正の内容】
【０００１】
本発明は、車両用シートに関する。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
本発明は、シート側部に設けられるサイドフレームと、前記サイドフレームの側面に設けられる、前後方向に延在する複数の補強部と、を有することを特徴とする車両用シートである。
上記車両用シートにおいて、前記複数の補強部は、それぞれ異なる方向に延在すると好適である。
上記車両用シートにおいて、前方と後方とにおいて、前記複数の補強部の間の距離が異なると好適である。
上記車両用シートにおいて、前記サイドフレームの側面に設けられる、上下方向に延在する上下補強部をさらに有し、前記上下補強部と、前記複数の補強部の少なくとも１つは連続していると好適である。
上記車両用シートにおいて、前記上下補強部と、前記複数の補強部は連続していると好適である。
上記車両用シートにおいて、前記複数の補強部は、前記上下補強部を介して連続していると好適である。
上記車両用シートにおいて、前記補強部は、シート内側に突出していると好適である。
上記車両用シートにおいて、前記上下補強部は、前記サイドフレームの前記側面の後端に設けられ、前記補強部は、前記サイドフレームの前記側面の前記後端から前端まで延在していると好適である。
上記車両用シートにおいて、前記サイドフレームは、エアバッグ部材を取り付けて保持する保持部をさらに有し、前記保持部の上端は、前記補強部の上端よりも上方にあると好適である。
上記車両用シートにおいて、複数の前記保持部を有し、前記補強部は、前記複数の前記保持部の間に設けられると好適である。
エアバッグモジュール装備シートは、エアバッグを格納するエアバッグモジュールを装備したシートであって、該シートの骨格を形成するシートフレームと、該シートフレームに取り付けられる前記エアバッグモジュールと、前記シートのカバー部材に取付けられ、前記エアバッグモジュールの展開方向を案内する案内部材と、を備え、前記シートフレームは、前記案内部材を保持する保持部を、前記シートフレームに一体形成して備える。
【手続補正６】
【補正対象書類名】明細書
【補正対象項目名】０００９
【補正方法】変更
【補正の内容】
【０００９】
このとき、前記保持部は、該保持部に保持される前記案内部材の移動を規制する規制部を備えていると好適である。
このように構成しているため、案内部材が保持部から外れることを抑制でき、案内部材によるエアバッグ展開時のエアバッグ展開方向の案内を、より安定させることができる。
【手続補正７】
【補正対象書類名】明細書
【補正対象項目名】００１０
【補正方法】変更
【補正の内容】
【００１０】
このとき、前記保持部は、前記シートフレームの端部が曲がったフランジ部に設けられていると好適である。
このように、保持部を剛性の高いフランジ部に設けるため、案内部材の取付剛性が向上する。
【手続補正８】
【補正対象書類名】明細書
【補正対象項目名】００１１
【補正方法】変更
【補正の内容】
【００１１】
このとき、前記シートフレームは、板部と、該板部の端部が曲がった前記フランジ部とを備え、前記シートフレームの前記フランジ部の端部には、該フランジ部の端部から折れ曲がって前記板部に対向する面を形成する板部対向部と、該板部対向部から更に前記板部に向かって折れ曲がった第一の返し部と、が設けられ、前記規制部は、前記第一の返し部からなり、前記保持部は、前記フランジ部と、前記板部対向部と、前記第一の返し部とに囲まれた領域からなると好適である。
このように構成しているため、単純な構成で、案内部材をシートフレーム側に直接取付けるための取付部を実現することができる。
【手続補正９】
【補正対象書類名】明細書
【補正対象項目名】００１２
【補正方法】変更
【補正の内容】
【００１２】
このとき、前記シートフレームは、板部と、該板部の端部が曲がった前記フランジ部とを備え、前記シートフレームの前記フランジ部の端部には、該フランジ部の端部から折れ曲がって前記板部に対向する面を形成する板部対向部と、該板部対向部から更に前記板部に向かって折れ曲がった第一の返し部と、該第一の返し部から更に前記板部対向部に対向し、該板部対向部と前記板部との間に設けられる第二の返し部と、が設けられ、前記規制部は、前記第二の返し部からなり、前記保持部は、前記板部対向部と、前記第一の返し部と、前記第二の返し部と、に囲まれた領域からなると好適である。
このように構成しているため、単純な構成で、案内部材をシートフレーム側に直接取付けるための取付部を実現することができる。
【手続補正１０】
【補正対象書類名】明細書
【補正対象項目名】００１３
【補正方法】変更
【補正の内容】
【００１３】
このとき、前記フランジ部は、前記シートフレームの水平方向の端部に沿って、上下方向に延びるように設けられ、前記保持部は、前記フランジ部の上下方向の一部に設けられ、前記保持部の上方の端部は、上方に向かって開口し、前記保持部の前記上方の端部よりも上方で、前記上方の端部に隣接する位置には、前記規制部が形成されていないと好適である。
このように構成しているため、案内部材を、保持部の上方からスライドすることにより保持部に取付けることができる。従って、エアバッグモジュール展開時に案内部材に掛かる力の方向と、案内部材を取付ける方向とが、角度をもつため、エアバッグモジュール展開時に案内部材に力が掛かっても、案内部材の取付口から案内部材が外れることを抑制でき、支持剛性を向上できる。
【手続補正１１】
【補正対象書類名】明細書
【補正対象項目名】００１４
【補正方法】変更
【補正の内容】
【００１４】
このとき、前記保持部を構成する壁部には、繊維強化材料を含む材料が用いられ、前記繊維強化材料の繊維方向が、前記エアバッグモジュールの展開時に前記保持部が前記案内部材により牽引される方向に沿っていると好適である。
このように構成しているため、エアバッグモジュール展開時に案内部材を牽引する力がかかったときに、保持部が変形することを抑制できる。
【手続補正１２】
【補正対象書類名】明細書
【補正対象項目名】００１５
【補正方法】変更
【補正の内容】
【００１５】
このとき、前記側板と前記フランジ部とが連続する部分には、隅肉部が形成され、前記保持部の前記隅肉部は、前記保持部以外の箇所の前記隅肉部よりも厚肉の厚肉部として形成されていると好適である。
このように構成しているため、エアバッグモジュール展開時に案内部材を牽引する力がかかったときに、保持部が変形することを抑制できる。
【手続補正１３】
【補正対象書類名】明細書
【補正対象項目名】００１６
【補正方法】変更
【補正の内容】
【００１６】
このとき、前記厚肉部は、前記保持部の上下方向に亘って形成され、前記板部及び前記フランジ部に対して傾斜していると好適である。
このように構成しているため、厚肉部による支持剛性をより高めることができる。
【手続補正１４】
【補正対象書類名】明細書
【補正対象項目名】００１７
【補正方法】変更
【補正の内容】
【００１７】
このとき、前記案内部材の端部には、該端部の形状を保持する端末形状保持部材が固定され、前記規制部は、前記端末形状保持部材を被覆するように延びていると好適である。
このように、端末形状保持部材を備えることと、組付け時に規制部が端末形状保持部材を被覆することにより、案内部材の支持剛性を向上できる。
【手続補正１５】
【補正対象書類名】明細書
【補正対象項目名】００１８
【補正方法】変更
【補正の内容】
【００１８】
このとき、前記保持部の下方の端部には、該端部を塞ぐ壁が形成されていると好適である。
このように構成しているため、案内部材が、保持部の下方から脱落することを抑制できる。
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】